(57)【要約】【課題】ローカルな放送を行う場合に用いることができる空き放送チャンネルを簡易に特定する。【解決手段】本放送装置は、テストデータを複数の空き放送チャンネルの各々で放送する放送部と、各空き放送チャンネルでテストデータを受信した携帯端末から、テストデータの受信状況を表すデータを取得するデータ取得部と、テストデータの受信状況を表すデータに基づき、放送データを放送すべき空き放送チャンネルを特定するチャンネル決定処理部とを有する。【選択図】図２
2011188442.tif 000002
【特許請求の範囲】
【請求項１】
テストデータを複数の空き放送チャンネルの各々で放送する放送部と、
各前記空き放送チャンネルで前記テストデータを受信した携帯端末から、前記テストデータの受信状況を表すデータを取得するデータ取得部と、
前記テストデータの受信状況を表すデータに基づき、放送データを放送すべき空き放送チャンネルを特定するチャンネル決定処理部と、
を有する放送装置。
【請求項２】
前記データ取得部が、各前記空き放送チャンネルで前記テストデータを受信した複数の携帯端末から、前記テストデータの受信状況を表すデータを受信する
請求項１記載の放送装置。
【請求項３】
前記テストデータが映像データであり、
前記テストデータの受信状況を表すデータが、前記携帯端末による録画データを含み、
前記チャンネル決定処理部が、前記空き放送チャンネル毎に、前記携帯端末による録画データの画質レベルを算出し、当該画質レベルが閾値以上の空き放送チャンネルを特定する
請求項１又は２記載の放送装置。
【請求項４】
前記テストデータの受信状況を表すデータが、前記携帯端末による放送の受信電波強度レベルを含み、
前記チャンネル決定処理部が、前記受信電波強度レベルが閾値以上の空き放送チャンネルを特定する
請求項１又は２記載のいずれか１つ記載の放送装置。
【請求項５】
前記テストデータの受信状況を表すデータが、前記携帯端末による放送の受信電波強度レベルをさらに含み、
前記チャンネル決定処理部が、前記画質レベルが閾値以上であり且つ前記受信電波強度レベルが第２の閾値以上である空き放送チャンネルを特定する
請求項３記載の放送装置。
【請求項６】
前記テストデータが映像データであり、
前記テストデータの受信状況を表すデータが、前記携帯端末による録画データと前記携帯端末による放送の受信強度レベルとのうち少なくともいずれかと前記携帯端末の機種を特定するための機種データとを含み、
前記テストデータの受信状況を表すデータが前記携帯端末による録画データを含む場合には、前記チャンネル決定処理部が、前記空き放送チャンネル毎に、前記携帯端末の機種毎に録画データの画質レベルを算出し、全ての機種について前記画質レベルが閾値以上である空き放送チャンネルを特定し、
前記テストデータの受信状況を表すデータが前記受信電波強度レベルを含む場合には、前記チャンネル決定処理部が、全ての機種について前記受信電波強度レベルが第２の閾値以上の空き放送チャンネルを特定する
請求項２記載の放送装置。
【請求項７】
前記テストデータの受信状況を表すデータが、前記携帯端末の機種を特定するための機種データをさらに含み、
前記チャンネル決定処理部は、
前記空き放送チャンネルが候補として複数特定された場合に、機種毎に予め定められ且つ受信能力を表す重み値で各前記携帯端末についての前記テストデータの受信状況を表すデータを重み付けた上で評価し、空き放送チャンネルを１つ特定する
請求項２記載の放送装置。
【請求項８】
複数の空き放送チャンネルについて、放送装置から放送されるテストデータを受信する放送受信部と、
データ通信を行う通信部と、
前記テストデータの受信電波強度レベルを取得し、当該受信電波強度レベルを含む受信状況データを前記放送装置へ前記通信部に送信させる制御部と、
を有する携帯端末。
【請求項９】
前記制御部が、
各前記空き放送チャンネルにおける前記テストデータの放送タイミングについてのスケジュールデータを取得し、当該スケジュールデータに従って前記放送受信部に前記テストデータの受信を行わせる
請求項８記載の携帯端末。
【請求項１０】
前記テストデータが、映像データであり、
前記制御部が、前記映像データを録画して、録画された前記映像データをさらに含む受信状況データを前記放送装置へ前記通信部に送信させる
請求項８又は９記載の携帯端末。
【請求項１１】
テストデータを複数の空き放送チャンネルの各々で放送させる放送制御部と、
各前記空き放送チャンネルで前記テストデータを受信した携帯端末から、前記テストデータの受信状況を表すデータを取得するデータ取得部と、
前記テストデータの受信状況を表すデータに基づき、放送データを放送すべき空き放送チャンネルを特定するチャンネル決定処理部と、
を、コンピュータに実現させるためのプログラム。
【発明の詳細な説明】
【技術分野】
【０００１】
本技術は、ローカルな放送を行う場合に用いることができる空き放送チャンネルを特定するための技術に関する。
【背景技術】
【０００２】
例えばワンセグ対応携帯端末に対する放送サービスとして、基地局から半径１ｍ乃至数十ｍの狭いエリア限定で提供される携帯端末向けローカル放送サービスがある。これは、電波出力の上限を抑えて設定することにより誰でも無免許で放送を行う基地局を設置して行うもので、例えば商店街毎又は店舗毎に独自の放送局を設置し独自の放送を行うものである。
【０００３】
しかしながら、自由に放送チャンネルを決定することができるわけではなく、一般の広域放送で用いられている放送チャンネルを勝手に使うことはできない。また、他人同士が近隣で放送局を設置し独自に放送を行っている場合には混信が生ずるおそれがあり、放送局以外の機器によって発せられる電波によって受信が困難な放送チャンネルも存在する。さらに、放送チャンネルの使用状況は地域によっても異なるので、一般的にはスペクトルアナライザーその他の専用装置を用いて電波状況を検査して、電波状況が良好な空き放送チャンネルを探し出すといったことを行う。しかしながら、これではコストが高くなってしまう。
【０００４】
なお、放送の受信機側で受信チャンネルの設定などを行う技術は既に存在しているが、上で述べたように放送局側で適切な空き放送チャンネルを特定するようなことは考慮されていない。
【先行技術文献】
【特許文献】
【０００５】
【特許文献１】特開２００２−２５２８２４号公報
【特許文献２】特開２００４−３２８０８６号公報
【発明の概要】
【発明が解決しようとする課題】
【０００６】
従って、本技術の目的は、ローカルな放送を行う場合に用いることができる空き放送チャンネルを簡易に特定するための技術を提供することである。
【課題を解決するための手段】
【０００７】
本放送装置は、テストデータを複数の空き放送チャンネルの各々で放送する放送部と、各空き放送チャンネルでテストデータを受信した携帯端末から、テストデータの受信状況を表すデータを取得するデータ取得部と、テストデータの受信状況を表すデータに基づき、放送データを放送すべき空き放送チャンネルを特定するチャンネル決定処理部とを有する。
【０００８】
本携帯端末は、複数の空き放送チャンネルについて、放送装置から放送されるテストデータを受信する放送受信部と、データ通信を行う通信部と、テストデータの受信電波強度レベルを取得し、当該受信電波強度レベルを含む受信状況データを放送装置へ通信部に送信させる制御部とを有する。
【発明の効果】
【０００９】
ローカルな放送を行う場合に用いることができる空き放送チャンネルを簡易に特定できるようになる。
【図面の簡単な説明】
【００１０】
【図１】図１は、システムの概要を示す図である。
【図２】図２は、ローカル放送装置の機能ブロック図である。
【図３】図３は、携帯端末の機能ブロック図である。
【図４】図４は、システムにおける処理フローを示す図である。
【図５】図５は、空きチャンネルのデータの一例を示す図である。
【図６】図６は、受信状況データの格納態様の一例を示す図である。
【図７】図７は、ローカル放送装置の処理フローを示す図である。
【図８】図８は、画質レベル算出処理の処理フローを示す図である。
【図９】図９は、受信状況テーブルの一例を示す図である。
【図１０】図１０は、平均値テーブルの一例を示す図である。
【図１１】図１１は、候補チャンネルテーブルの一例を示す図である。
【図１２】図１２は、ローカル放送装置の処理フローを示す図である。
【図１３】図１３は、チャンネル決定処理の処理フローを示す図である。
【図１４】図１４は、端末比較テーブルの一例を示す図である。
【図１５】図１５は、処理結果テーブルの一例を示す図である。
【図１６】図１６は、コンピュータの機能ブロック図である。
【発明を実施するための形態】
【００１１】
図１を用いて、本技術の一実施の形態に係るシステム概要を説明する。半径数ｍ乃至数十ｍ程度のエリアに対してワンセグ放送を行うローカル放送装置１００は、例えば各種店舗や商店街、教室、イベント会場などに設置される。各種店舗では、特売情報の放送や、クーポンの配布などに用いられ、教室では試験問題や教材の配布などに用いられ、イベント会場ではイベントの告知放送などに用いられることが期待されている。
【００１２】
ローカル放送装置１００が放送したＴＶ放送波は、例えばワンセグ受信機能付きの携帯電話機であるＴＶ受信機能付携帯端末２００（図１では２００ａ乃至２００ｃ。以下、簡単に携帯端末とも呼ぶ。）により受信される。本実施の形態では、このような携帯端末を専用の検査装置（又は計測装置）の代わりに検査装置として用いる。例えば、各種店舗では店舗の従業員など、イベント会場では主催者側の従業員や参加者、教室などでは教員や生徒又は学生が保有する携帯端末２００を活用する。
【００１３】
ローカル放送装置１００は、例えばルータ３００などに有線又は無線で接続されており、当該ルータ３００を介してサーバ４００と接続される。このサーバ４００は、例えば店舗などのデータを管理するサーバであって、例えばローカル放送装置１００から放送すべきコンテンツ・データやローカル放送装置１００において処理されるデータ（例えば受信状況データ）を保持する場合もある。ルータ３００には、その他店舗などの管理者の端末装置なども接続される場合もある。
【００１４】
さらにローカル放送装置１００は、ルータ３００に接続される例えばインターネットやＶＰＮ（Virtual Private Network）その他のネットワークを介して管理サーバ（図示せず）に接続される場合もある。例えば、店舗がチェーンストアのような場合には、本部の管理サーバが、各地の店舗に配置されているローカル放送装置１００に、当該ローカル放送装置１００から放送すべきコンテンツ・データを定期的に又は随時送るような構成が採用される場合もある。
【００１５】
なお、本実施の形態では以下で述べるように、携帯端末２００は、ローカル放送装置１００に対し放送の受信状況データを送信することになっており、携帯端末２００が携帯電話機であれば、通信事業者のキャリアネットワーク経由でローカル放送装置１００宛に受信状況データを送信する。また、携帯端末２００が無線ＬＡＮ（Local Area Network）接続機能を有する場合には、携帯端末２００は、ルータ３００を介して無線にて、ローカル放送装置１００に対して受信状況データを送信する。
【００１６】
さらに、携帯端末２００が、フラッシュメモリ型の記録媒体にデータ書き込みを行うことができ、ローカル放送装置１００にこの記録媒体に対するインタフェースが設けられている場合には、当該記録媒体経由で受信状況データをローカル放送装置１００に渡すようにしても良い。
【００１７】
上では携帯端末２００からローカル放送装置１００への受信状況データの送信について述べたが、ローカル放送装置１００から携帯端末２００へのデータの送信も、同様の手法にて行うことができる。
【００１８】
携帯端末２００は、複数台あった方が好ましいが、１台でも可能である。また、放送エリア内の複数箇所で検査を行うようにしても良い。さらに、機種によって受信感度が異なるので、複数の機種で検査を行う方が好ましい。
【００１９】
図２に、ローカル放送装置１００の機能ブロック図を示す。ローカル放送装置１００は、（Ａ）実際に微弱なＴＶ放送波を出力するディジタル放送部１１０と、ディジタル放送部１１０などの制御を行う制御部１２０と、（Ｂ）制御部１２０によって生成された中間的なデータなどを格納する処理データ格納部１３０と、（Ｃ）ディジタル放送部１１０から放送されるコンテンツ・データを格納するコンテンツ格納部１４０と、（Ｄ）携帯端末２００から受信した受信状況データを格納する受信状況データ格納部１５０と、（Ｅ）通信ネットワーク（有線又は無線ＬＡＮ（さらにルータ３００を介して接続されるインターネットを含む場合もある）、場合によっては通信事業者のキャリアネットワークを含む。）に対する通信インタフェース部１６０とを有する。ローカル放送装置１００は、例えばフラッシュメモリ型の記録媒体の記録媒体インタフェース部１７０をさらに有する場合もある。
【００２０】
なお、通信インタフェース部１６０は、ブルートゥース（Bluetooth）通信機能や赤外線通信機能を含む場合もある。このような機能は、携帯端末２００との通信に用いられる場合もある。
【００２１】
さらに、ローカル放送装置１００は、表示部や入力部といったローカル放送装置１００に直接指示を入力する機能や装置の状態などを出力する機能を有する場合もある。
【００２２】
また、制御部１２０は、（ｂ１）ディジタル放送部１１０に対してコンテンツ・データを放送すべき放送チャンネルなどの制御を行う放送制御部１２１と、（ｂ２）携帯端末２００から受信した受信状況データを用いて最適放送チャンネルを決定する処理を実施する最適チャンネル決定処理部１２２と、（ｂ３）通信インタフェース部１６０と連携してデータの送受信を制御する通信制御部１２３とを含む。
【００２３】
図３に、携帯端末２００の機能ブロック図を示す。携帯端末２００は、（Ａ）ＴＶ放送（例えばワンセグ放送）を受信するディジタル放送受信部２１０と、（Ｂ）当該ディジタル放送受信部２１０の受信処理及び受信したＴＶ放送（すなわち映像データ）を録画する処理等を実施する受信制御部２３０と、（Ｃ）受信制御部２３０で録画された映像データ及び受信制御部２３０の受信処理のスケジュールデータなどを格納するデータ格納部２４０と、（Ｄ）受信制御部２３０からの指示に応じて受信状況データをローカル放送装置１００宛に送信する通信部２２０と、（Ｅ）ユーザからの指示の入力を受け付け、受信制御部２３０に出力する入力部２０５とを有する。なお、携帯端末２００は、例えばフラッシュメモリ型の記録媒体の記録媒体インタフェース部２５０をさらに有する場合もある。
【００２４】
通信部２２０は、有線又は無線ＬＡＮ（さらにルータ３００を介して接続されるインターネットを含む場合もある）に接続して通信を行う機能、通信事業者のキャリアネットワークに接続して通信を行う機能、ブルートゥース通信機能や赤外線通信機能のうち少なくともいずれかを有する。
【００２５】
また、ディジタル放送受信部２１０は、ＴＶ放送波を受信して映像データを復号して受信制御部２３０に出力すると共に、その際の受信電波強度レベルをも受信制御部２３０に出力する。このようなディジタル放送受信部２１０の機能については、既に良く用いられているものであるから、これ以上述べない。
【００２６】
さらに、携帯端末２００は、以下で述べる処理を実施するためのプログラムをダウンロードして、当該プログラムを実行することによって、上で述べた受信制御部２３０を実現する。
【００２７】
また、以下では、ローカル放送装置１００と携帯端末２００との通信手法については上で述べられたいずれかの方法が採用されるものであるとして、詳細については省略する。
【００２８】
以下、図４乃至図１５を用いて、図１乃至図３に示したシステムの動作について説明する。まず、ローカル放送装置１００の通信制御部１２３は、通信インタフェース部１６０を介して、外部の装置（例えばサーバ４００、その他ルータ３００を介して接続される管理者の端末装置（図示せず）など）から、その地域における空きチャンネルの設定データを受信し、処理データ格納部１３０に格納する（ステップＳ１）。例えば図５に示すように、実際に使用できるか否かは不明でも空きチャンネルとして分かっている放送チャンネル番号が、処理データ格納部１３０に格納される。
【００２９】
例えばこのような設定データを受信したことに応じて、各空きチャンネルでテストデータ（映像データ。例えば動画データ、静止画像。）を放送する。しかし、同時に全ての空きチャンネルでテストデータを放送せずに、時分割で空きチャンネルを変更する場合には、携帯端末２００側と放送と受信とが同期していないと正しく受信状況を把握できない。従って、例えば放送制御部１２１は、時分割で空きチャンネルを変更する場合には、放送開始時刻と、空きチャンネルの各々に対して順番に所定の放送時間及び空き時間とを設定して、スケジュールデータを生成する。例えば、開始時刻を設定データの受信から５分後に設定して、１空きチャンネルあたりの放送時間を３分、空き時間を２分というような形で、全ての空きチャンネルについてのスケジュールデータを生成する。スケジュールデータを生成した場合には、処理データ格納部１３０に格納し、放送制御部１２１は、当該スケジュールデータに従ってディジタル放送部１１０を制御する。スケジュールデータについては、管理者が、空きチャンネルの設定データに代わり、設定する場合もある。
【００３０】
なお、各空きチャンネルで同時にテストデータを放送する場合には、上で述べたような放送のスケジュールは不要であるが、スケジュールデータを用いる場合であってもスケジュールデータを用いない場合であっても、以下で述べるようにテストデータとその録画データの比較を行うため、比較に用いられる映像部分を携帯端末２００で録画するため同期が必要となる。そのため、例えば同一のテストデータを繰り返し放送するようにして、テストデータにその開始点を特定できるようなデータを付加して、多少時刻ずれがあっても、そのデータに同期して録画するようにする。当然ながら、受信がうまくできないチャンネルでは、このような同期は不可能となるので、適切に録画できない。
【００３１】
時分割で空きチャンネルを変更する場合には、携帯端末２００に、上で述べたようなスケジュールデータを設定するため、ローカル放送装置１００の放送制御部１２１は、通信制御部１２３に対してスケジュールデータを送信するように指示し、通信制御部１２３は通信インタフェース部１６０を介して携帯端末２００宛に送信する。このようにローカル放送装置１００からスケジュールデータを通知する場合には、参加する携帯端末２００のデータ（例えばメールアドレス、電話番号、ＭＡＣアドレス、ＩＰアドレスなどの識別情報）が処理データ格納部１３０等に格納されているものとする。
【００３２】
一方、携帯端末２００の受信制御部２３０は、上で述べたようなスケジュールデータを通信部２２０を介して受信すると、データ格納部２４０に格納する（ステップＳ２）。なお、スケジュールデータは、携帯端末２００のユーザによって入力部２０５により入力される場合もある。このような場合には、入力部２０５を介して受け付けたスケジュールデータを、受信制御部２３０は、データ格納部２４０に格納する。上でも述べたように、テストデータを同時に放送する場合には、スケジュールデータ自体は不要であるが、空きチャンネルのデータ自体は必要となる。すなわち、スケジュールデータの代わりに空きチャンネルデータを受信するか又は入力部２０５からの入力を受け付ける。このようにバリエーションがあるのでステップＳ２を点線ブロックで示している。
【００３３】
図４は主にスケジュールデータを用いる場合を示している。ローカル放送装置１００の放送制御部１２１は、上で述べたスケジュールデータに従って、これから使用すべき空きチャンネルを特定する（ステップＳ３）。そして、放送制御部１２１は、ディジタル放送部１１０を制御して、特定された空きチャンネルで、コンテンツ格納部１４０に格納されているテストデータ（例えば映像データ）を放送させる（ステップＳ５）。携帯端末２００の受信制御部２３０は、上で述べたスケジュールデータに従って、ディジタル放送受信部２１０に受信チャンネルを設定させることによってテストデータを受信させ、当該ディジタル放送受信部２１０から受け取ったテストデータを録画する（ステップＳ７）。すなわち、テストデータの受信データ（以下、録画データと呼ぶ。）をデータ格納部２４０に格納する。なお、受信できない場合もあるので、スケジュールされた時間内に受信できない場合には受信できないことを表すデータを格納する。
【００３４】
また、携帯端末２００の受信制御部２３０は、ディジタル放送受信部２１０から、受信電波強度レベルのデータを受け取り、録画データと共にデータ格納部２４０に格納する（ステップＳ９）。そして、受信制御部２３０は、本携帯端末２００の機種ＩＤ（識別子）と録画データと受信電波強度レベルデータを含む受信状況データを生成し、ローカル放送装置１００宛に送信する（ステップＳ１１）。機種ＩＤに加えて端末ＩＤも受信状況データに含まれる場合がある。この場合、ローカル放送装置１００側ではこの端末ＩＤを用いる場合もある。
【００３５】
ローカル放送装置１００の通信制御部１２３は、携帯端末２００から、機種ＩＤと録画データと受信電波強度レベルデータを含む受信状況データを受信し、受信状況データ格納部１５０に格納する（ステップＳ１３）。携帯端末２００が複数台の場合には各携帯端末２００から受信状況データを受信し、受信状況データ格納部１５０に格納する。
【００３６】
全ての空きチャンネルについて処理するまで、放送制御部１２１はステップＳ３及びＳ５を実施し、通信制御部１２３はステップＳ１３を実施する（ステップＳ１５）。
【００３７】
例えば、３つの空きチャンネルについて３台の携帯端末２００から受信状況データを受信すると、受信状況データ格納部１５０には図６に示すようなデータが格納される。このように空きチャンネル毎に、各携帯端末２００の受信状況データが格納されるようになる。なお、同一機種につき複数の端末が受信状況データを送信してくる可能性があるので、機種ＩＤに加えて端末ＩＤを併せて登録しておく。また、受信状況データについては、録画時刻が含まれる場合もある。
【００３８】
なお、スケジュールデータを用いない場合には、携帯端末２００は、設定された空きチャンネルを変更しつつステップＳ７乃至Ｓ１１を繰り返す。この際、受信したテストデータのうち所定部分を録画し終わった時点で空きチャンネルを変更する。所定時間受信できない場合には、受信できないことを表すデータを格納する。
【００３９】
受信状況データの収集が完了すると、ローカル放送装置１００の最適チャンネル決定処理部１２２は、空きチャンネル毎に、受信電波強度レベルの平均値を算出し、処理データ格納部１３０に格納する（ステップＳ１７）。そして処理は端子Ａを介して図７の処理に移行する。
【００４０】
ステップＳ１７では、例えば、空きチャンネルの受信電波強度レベルの平均値に基づき、当該空きチャンネルを候補から外すか否かを判断するようにしても良い。すなわち、受信電波強度レベルの平均値が所定の閾値未満である場合にそのチャンネルを採用すると、顧客が有する同一機種の携帯端末で受信できなくなる可能性が高いためである。また、別途、携帯端末２００毎に、受信電波強度レベルの平均値を算出し、全ての携帯端末２００の受信電波強度レベルの平均値が所定の閾値を下回るか判断するようにしても良い。全ての携帯端末２００の受信電波強度レベルの平均値が所定の閾値を下回る場合には、電波状況が非常に悪いと考えられるので、例えば図７のステップＳ２５に移行してエラー通知を行う。
【００４１】
図７の処理の説明に移行して、ローカル放送装置１００の最適チャンネル決定処理部１２２は、画質レベル算出処理を実施する（ステップＳ１９）。画質レベル算出処理については、図８を用いて説明する。
【００４２】
最適チャンネル決定処理部１２２は、未処理の空きチャンネルを１つ特定する（ステップＳ４１）。また、最適チャンネル決定処理部１２２は、受信状況データ格納部１５０において、未処理の携帯端末２００の録画データを特定する（ステップＳ４２）。そして、最適チャンネル決定処理部１２２は、コンテンツ格納部１４０に格納されている元画像データと、受信状況データ格納部１５０において特定された録画データとの一致度を算出し、例えばメインメモリなどの記憶装置に格納する（ステップＳ４３）。例えば、特定の画像フレームの全部又は一部の画素値が一致するか否かを判断し、例えば画素値が一致する画素の割合を算出する。さらに、最適チャンネル決定処理部１２２は、算出された一致度を画質レベルに変換し、同一の空きチャンネル及び携帯端末２００についての受信電波強度レベルと共に処理データ格納部１３０に格納する（ステップＳ４５）。例えば画質レベルを「３」（良好）「２」（普通）「１」（悪い）といった３段階で表現する場合には、それぞれに対して一致度の範囲を予め決めておき、算出された一致度がいずれの範囲に入るかを判断することによって、画質レベルに変換する。なお、画質レベルも３段階に限定されるものではなく、より多くの段階に分けるようにしても良い。
【００４３】
なお、画質レベルの算出については、例えば特開平１０−１１２７７５号公報に開示されている技術など、よく知られている他の技術を採用するようにしても良い。
【００４４】
その後、最適チャンネル決定処理部１２２は、全ての携帯端末についての録画データを処理したか判断する（ステップＳ４６）。未処理の携帯端末についての録画データが存在している場合にはステップＳ４２に戻る。一方、全ての携帯端末についての録画データを処理した場合には、最適チャンネル決定処理部１２２は、全ての空きチャンネルについて処理したか判断する（ステップＳ４７）。未処理の空きチャンネルが存在する場合にはステップＳ４１に戻る。一方、全ての空きチャンネルを処理した場合には元の処理に戻る。
【００４５】
例えば図９に示すような受信状況テーブルが、処理データ格納部１３０に格納される。図９の例では、機種ＩＤ＋端末ＩＤと、空きチャンネル（ＣＨ）と、受信電波強度レベルと、画質レベルと、録画時刻とが登録されるようになっている。図９の例では、Ｆ０１という機種が３台、Ｆ０２という機種が３台、Ｆ９０６という機種が３台利用されており、それぞれについて、空きチャンネル毎に、受信電波強度レベル及び画質レベルが登録されている。平均値については後で述べる。
【００４６】
図７の処理の説明に戻って、最適チャンネル決定処理部１２２は、各空きチャンネルについて、画質レベルの平均値を算出し、ステップＳ１７で算出した受信電波強度レベルと共に、処理データ格納部１３０に格納する（ステップＳ２１）。例えば、図１０に示すような平均値テーブルが格納される。図１０の例では、各空きチャンネルについて、受信電波強度レベルの平均値と画質レベルの平均値とが登録されるようになっている。
【００４７】
そして、最適チャンネル決定処理部１２２は、図１０に示すような平均値テーブルに基づき、全ての空きチャンネルの画質レベルの平均値が閾値未満であるか判断する（ステップＳ２３）。全ての空きチャンネルの画質レベルの平均値が閾値未満であれば、電波状況が非常に悪いと考えられるので、最適チャンネル決定処理部１２２は、電波状況が悪いということを表すエラー通知を生成して、通信制御部１２３に通信インタフェース部１６０を介して管理者に対して送信させる（ステップＳ２５）。これに対して管理者は、ローカル放送装置１００に追加のアンテナを接続するなどの処置を行う。また、判断に用いた閾値が高すぎる場合もあるので、管理者は閾値の変更を指示する場合もある。例えば、サーバ４００から閾値などのパラメータテーブルの更新データをローカル放送装置１００に送信する。この場合、ローカル放送装置１００の制御部１２０は、ローカル放送装置１００からパラメータテーブルの更新データを受信し、当該更新データに含まれる新たな閾値を設定する（ステップＳ２７）。
【００４８】
一方、全ての空きチャンネルの画質レベルの平均値が閾値未満ではない、すなわちいずれかの空きチャンネルの画質レベルの平均値が閾値以上である場合には、最適チャンネル決定処理部１２２は、図９に示すような受信状況テーブルに基づき、全ての携帯端末２００で受信電波強度レベルが第１閾値以上であり且つ画質レベルが第２閾値以上である空きチャンネルを候補チャンネルとして抽出する（ステップＳ２９）。例えば、第１閾値が２．０であり、第２閾値が２．０であるとすると、空きチャンネル「１３」は候補から外れて、空きチャンネル「１４」及び「１５」が抽出される。
【００４９】
このステップについては、携帯端末２００についての判断ではなく、機種毎の平均値で判断するようにしても良い。すなわち、ステップＳ１７及びＳ２１で、チャンネル毎だけではなく、チャンネル及び機種毎に受信電波強度レベルの平均値及び画質レベルの平均値を算出する。図９に示した受信状況テーブルでは、チャンネル及び機種毎の平均値が算出されている例が示されており、このステップでは、このような平均値で判断するようにしても良い。また、第１閾値及び第２閾値は同じ値であってもよいが、例えば画質重視ということで、第２閾値に高い値を設定する場合もある。
【００５０】
なお、１機種あたりの参加台数が１台であれば、携帯端末２００についての判断と、機種についての判断は一致することになる。
【００５１】
また、ステップＳ２９において、チャンネル毎の受信電波強度レベルの平均値が第１閾値以上で且つチャンネル毎の画質レベルの平均値が第２閾値以上であるチャンネルを候補チャンネルとして抽出するようにしても良い。
【００５２】
本実施の形態では、受信電波強度レベルが良い場合にも画質レベルが低くなることもあるため、両方共に所定レベル以上である空きチャンネルを候補チャンネルとして採用する。
【００５３】
そして、確認のため、最適チャンネル決定処理部１２２は、１以上の空きチャンネルが抽出されたか判断する（ステップＳ３１）。１つも空きチャンネルが抽出できない場合には、電波状況が悪い又は閾値が高すぎる可能性が高いので、ステップＳ２５に移行する。
【００５４】
一方、１以上の空きチャンネルが抽出された場合には、最適チャンネル決定処理部１２２は、チャンネル毎に算出された受信電波強度レベルの平均値及び画質レベルの平均値によって、抽出された空きチャンネルを降順にソートし、ソート結果を処理データ格納部１３０に候補チャンネルテーブルとして格納する（ステップＳ３３）。処理は端子Ｂを介して図１２の処理に移行する。
【００５５】
例えば、空きチャンネル毎に、受信電波強度レベルの平均値と画質レベルの平均値との重み付け加算（単純加算も含む）を行って、その値が大きい順にソートする。なお、同一の値が得られた場合には、同率フラグを「１」にセットする。ステップＳ３３では、例えば図１１に示すような候補チャンネルテーブルが格納される。図１１の例では、空きチャンネルと、受信電波強度レベルの平均値と、画質レベルの平均値と、同率フラグとが登録されるようになっている。図１１の例では、候補番号１及び２については、受信電波強度レベルの平均値と画質レベルの平均値とが全く同じ値になっているので、候補番号「２」のレコードの同率フラグが「１」にセットされている。
【００５６】
ローカル放送装置１００の最適チャンネル決定処理部１２２は、処理データ格納部１３０に格納されている候補チャンネルテーブルにおいて１位が同率一位であるか判断する（ステップＳ３５）。１位が同率一位でない場合には、１位が最適チャンネルであるから、最適チャンネル決定処理部１２２は、１位の空きチャンネルである最適チャンネルを、放送制御部１２１に設定し、さらに通知処理を実施する（ステップＳ３９）。通知処理については、例えば放送制御部１２１が、例えばディジタル放送部１１０を制御して、例えば最後にテストデータを放送した空きチャンネル又は最適チャンネル若しくはその両方若しくは全ての空きチャンネルで、設定されたチャンネルを表すデータを放送させる。又は、最適チャンネル決定処理部１２２は、通信制御部１２３に指示して、通信インタフェース部１６０に、設定されたチャンネルを表すデータを管理者宛に送信させる。
【００５７】
一方、１位が同率一位である場合には、最適チャンネル決定処理部１２２は、チャンネル決定処理を実施する（ステップＳ３７）。チャンネル決定処理については、図１３乃至図１５を用いて説明する。本ステップの後に、処理はステップＳ３９に移行する。
【００５８】
まず、最適チャンネル決定処理部１２２は、処理データ格納部１３０において、受信状況テーブル（図９）から１位の空きチャンネルについてのレコードを抽出する（ステップＳ５１）。そして、最適チャンネル決定処理部１２２は、処理データ格納部１３０に格納されている端末比較テーブルを使用して、抽出レコードから所定の機種のデータを削除する（ステップＳ５３）。
【００５９】
端末比較テーブルは、例えば図１４に示すようなデータである。図１４の例では、機種ＩＤと、アンテナ数と、外部アンテナの有無と、受信感度レベルとが登録されるようになっている。
【００６０】
アンテナ数が複数の機種と外部アンテナが「有」である機種についてのレコードを、抽出レコードから削除する。これは、受信感度が高くなっている携帯端末については、ここでは考慮しないということである。
【００６１】
図１１の例では、図９に示した受信状況テーブルから空きチャンネル「１４」及び「１５」についてのレコードを抽出する。そして、図１４の端末比較テーブルからすると、外部アンテナ「有」である機種ＩＤ「Ｆ９０６」のレコードを削除する。
【００６２】
そして、最適チャンネル決定処理部１２２は、該当機種の受信電波強度レベルの平均値×端末比較テーブル（図１４）の受信感度レベルを、空きチャンネルと機種との組み合わせ毎に第１評価値として算出し、処理データ格納部１３０における処理結果テーブルに登録する（ステップＳ５５）。
【００６３】
例えば図１５に示すようなデータが処理結果テーブルとして生成される。図１５の例では、機種と、１位の空きチャンネルと、第１評価値と、第２評価値とを登録するようになっている。ステップＳ５５では、第１評価値の列に値が登録されるが、第２評価値についてはまだ登録されない。図１５に示すように、機種「Ｆ０１−Ａ」且つ空きチャンネル「１４」の受信電波強度レベルの平均値「２．６７」に対して図１４の端末比較テーブルの機種「Ｆ０１−Ａ」の受信感度レベル「１」を掛けて、第１評価値「２．６７」が得られる。機種「Ｆ０１−Ａ」且つ空きチャンネル「１５」の受信電波強度レベルの平均値「３．００」に対して図１４の端末比較テーブルの機種「Ｆ０１−Ａ」の受信感度レベル「１」を掛けて、第１評価値「３．００」が得られる。機種「Ｆ０２−Ａ」且つ空きチャンネル「１４」の受信電波強度レベルの平均値「３．００」に対して図１４の端末比較テーブルの機種「Ｆ０２−Ａ」の受信感度レベル「２」を掛けて、第１評価値「６」が得られる。機種「Ｆ０２−Ａ」且つ空きチャンネル「１５」の受信電波強度レベルの平均値「３．００」に対して図１４の端末比較テーブルの機種「Ｆ０２−Ａ」の受信感度レベル「２」を掛けて、第１評価値「６」が得られる。
【００６４】
また、最適チャンネル決定処理部１２２は、該当機種の画質レベルの平均値×端末比較テーブル（図１４）の受信感度レベルを、空きチャンネルと機種との組み合わせ毎に第２評価値として算出し、処理データ格納部１３０における処理結果テーブルに登録する（ステップＳ５７）。
【００６５】
図１５に示すように、機種「Ｆ０１−Ａ」且つ空きチャンネル「１４」の画質レベルの平均値「２．６７」に対して図１４の端末比較テーブルの機種「Ｆ０１−Ａ」の受信感度レベル「１」を掛けて、第２評価値「２．６７」が得られる。機種「Ｆ０１−Ａ」且つ空きチャンネル「１５」の画質レベルの平均値「３．００」に対して図１４の端末比較テーブルの機種「Ｆ０１−Ａ」の受信感度レベル「１」を掛けて、第２評価値「３．００」が得られる。機種「Ｆ０２−Ａ」且つ空きチャンネル「１４」の画質レベルの平均値「３．００」に対して図１４の端末比較テーブルの機種「Ｆ０２−Ａ」の受信感度レベル「２」を掛けて、第２評価値「６」が得られる。機種「Ｆ０２−Ａ」且つ空きチャンネル「１５」の画質レベルの平均値「３．００」に対して図１４の端末比較テーブルの機種「Ｆ０２−Ａ」の受信感度レベル「２」を掛けて、第２評価値「６」が得られる。
【００６６】
そして、最適チャンネル決定処理部１２２は、処理結果テーブルから最小値が算出された組み合わせを特定し（ステップＳ５９）、特定された組み合わせの空きチャンネルを最適チャンネルとして決定する（ステップＳ６１）。
【００６７】
図１５の例では、機種「Ｆ０１−Ａ」且つ空きチャンネル「１４」の組み合わせが特定され、さらに空きチャンネル「１４」が最適チャンネルとして特定される。このように、最小値を選択するのは、受信感度レベルが低い機種でも十分な受信電波強度レベル及び画質レベルが得られた空きチャンネルが最も適切であるためである。
【００６８】
このような処理を実施することによって、携帯端末２００の受信感度レベルを考慮した上で、最適な空きチャンネルを特定することができる。
【００６９】
以上のような処理を実施することによって、受信状況を個人が保持する携帯電話機などの携帯端末を有効活用して、専門装置を用いずに最も適切な空きチャンネルを特定することができるようになる。すなわち、コスト削減が可能となる。
【００７０】
以上本技術の実施の形態について説明したが、本技術はこれに限定されるものではない。例えば、携帯端末２００に、空きチャンネルの設定データ又はスケジュールデータを入力して、自動的に処理を実施するような例を説明したが、携帯端末２００のユーザが、空きチャンネルについて録画を手動で行い、機種ＩＤ及び受信電波強度レベルのデータを手動で入力した上で、録画データと共に、ローカル放送装置１００に送信するようにしても良い。さらに、記録媒体を用いて、受信状況データを携帯端末２００からローカル放送装置１００に移すようにしても良い。
【００７１】
さらに、図２及び図３に示した機能ブロック図は一例であって、必ずしも実際のモジュール構成と一致しない場合もある。すなわち、いずれの部分をハードウエアで実現し、いずれの部分をソフトウエアで実施するかは、実装に依存する。
【００７２】
さらに、ローカル放送装置１００は、サーバ４００と一体で、上で述べたような機能を実現する場合もある。すなわち、上ではローカル放送装置１００の機能として説明した機能であっても、サーバ４００にその機能を持たせるようにしても良い。例えば、最適チャンネル決定処理部１２２については、サーバ４００で実現するようにしても良い。
【００７３】
さらに、上では受信電波強度レベル及び画質レベルとを用いて最適チャンネルを決定する処理例を示したが、いずれか１つを用いて最適チャンネルを決定する場合もある。映像データを配信して、画質レベルを判定するような処理フローとなっているが、音声データの音質レベルを別途判断するようにしても良い。例えば、教室のリスニング試験などでは音質レベルの方が重要な場合もある。
【００７４】
なお、上で述べたローカル放送装置１００で実行される機能の少なくとも一部は、プロセッサと当該プロセッサに実行されるプログラムとの組み合わせにて実現される場合がある。全てが専用の電子回路にて実現される場合もあるが、プロセッサと当該プロセッサに実行されるプログラムとの組み合わせにて実施される場合には、よりフレキシブルに構成を変更することができる。プログラムは、ローカル放送装置１００のＲＯＭ（Read Only Memory）又はフラッシュメモリなどに格納される。
【００７５】
携帯端末２００は、上でも述べたように一例としてはＴＶ受信機能付きの携帯電話機であるが、ＴＶ受信機能付きのノート型パーソナルコンピュータであってもよい。このような場合、携帯端末２００であるパーソナルコンピュータ及びサーバ４００は、コンピュータ装置であって、図１６に示すように、メモリ２５０１とＣＰＵ２５０３（プロセッサ、処理部若しくは処理装置とも呼ぶ）とハードディスク・ドライブ（ＨＤＤ）２５０５と表示装置２５０９に接続される表示制御部２５０７とリムーバブル・ディスク２５１１用のドライブ装置２５１３と入力装置２５１５とネットワークに接続するための通信制御部２５１７（通信インタフェース部１６０に相当）とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。必要に応じてＣＰＵ２５０３は、表示制御部２５０７、通信制御部２５１７、ドライブ装置２５１３を制御して、必要な動作を行わせる。また、処理途中のデータについては、メモリ２５０１に格納され、必要があればＨＤＤ２５０５に格納される。本技術の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及び必要なアプリケーション・プログラムとが有機的に協働することにより、上で述べたような各種機能を実現する。その他、ブルートゥースや赤外線通信機能が実装されている場合もある。
【００７６】
携帯端末２００が、携帯電話機である場合には、ＨＤＤ２５０５やドライブ装置２５１３は有していない。しかし、代わりに記録媒体インタフェース部２５０やフラッシュメモリ型のメモリなどを有しており、さらに音声通話機能及び通信キャリアのための通信処理部などをさらに有しているが、基本的な機能ブロック図は図１６と同様である。
【００７７】
以上述べた本実施の形態をまとめると、以下のようになる。
【００７８】
本放送装置は、テストデータを複数の空き放送チャンネルの各々で放送する放送部と、各空き放送チャンネルでテストデータを受信した携帯端末から、テストデータの受信状況を表すデータを取得するデータ取得部と、テストデータの受信状況を表すデータに基づき、放送データを放送すべき空き放送チャンネルを特定するチャンネル決定処理部とを有する。
【００７９】
このように携帯端末から、様々な手段で（例えばデータ通信や記録媒体を介して）受信状況を表すデータを取得すれば、好ましい空き放送チャンネルを簡易に特定できる。すなわち、専門の検査装置（又は計測装置）ではなく、一般的に普及している携帯端末を用いることができれば、適切な放送チャンネルを決定するためのコストを削減することができる。
【００８０】
なお、上で述べたデータ取得部が、各空き放送チャンネルでテストデータを受信した複数の携帯端末から、テストデータの受信状況を表すデータを受信するようにしてもよい。携帯端末を複数用いる方が、携帯端末のばらつきなどを考慮して最適な空きチャンネルを特定することができるようになる。同じ機種について複数の携帯端末ではなく、複数の機種について複数の携帯端末についてデータを受信する方が好ましい。
【００８１】
さらに、上で述べたテストデータが映像データである場合もある。そして、テストデータの受信状況を表すデータが、携帯端末による録画データを含むこともある。このような場合、チャンネル決定処理部が、空き放送チャンネル毎に、携帯端末の機種毎に録画データの画質レベルを算出し、当該画質レベルが閾値以上の空き放送チャンネルを特定するようにしてもよい。画質レベルが高い方が好ましいためである。なお、画質レベルは、元映像データに対する録画データの一致度から決定される場合もある。
【００８２】
また、テストデータの受信状況を表すデータが、携帯端末による放送の受信電波強度レベルを含む場合がある。その場合、チャンネル決定処理部が、全ての機種についての受信電波強度レベルが閾値以上の空き放送チャンネルを特定するようにしてもよい。このようにすれば、比較的サイズの小さいデータにて空き放送チャンネルを特定できるようになる。
【００８３】
さらに、チャンネル決定処理部が、画質レベルが閾値以上であり且つ受信電波強度レベルが閾値以上である空き放送チャンネルを特定するようにしてもよい。両方が良い値の空き放送チャンネルの方が好ましいからである。
【００８４】
また、テストデータが映像データである場合もある。そして、テストデータの受信状況を表すデータが、携帯端末による録画データと携帯端末による放送の受信強度レベルとのうち少なくともいずれかと携帯端末の機種を特定するための機種データとを含む場合がある。そして、テストデータの受信状況を表すデータが携帯端末による録画データを含む場合には、チャンネル決定処理部が、空き放送チャンネル毎に、携帯端末の機種毎に録画データの画質レベルを算出し、全ての機種について画質レベルが閾値以上でる空き放送チャンネルを特定するようにしてもよい。さらに、テストデータの受信状況を表すデータが受信電波強度レベルを含む場合には、チャンネル決定処理部が、全ての機種について受信電波強度レベルが第２の閾値以上の空き放送チャンネルを特定するようにしてもよい。このように、平均値ではなく全ての機種について画質レベル又は受信電波強度レベルが閾値以上という条件を採用すれば、受信感度の低い機種だけが受信できないという状況を回避できる可能性が高くなる。
【００８５】
さらに、テストデータの受信状況を表すデータが、携帯端末の機種を特定するための機種データをさらに含むようにしてもよい。その場合、チャンネル決定処理部は、空き放送チャンネルが候補として複数特定された場合に、機種毎に予め定められ且つ受信能力を表す重み値で各携帯端末についてのテストデータの受信状況を表すデータを重み付けた上で評価し、空き放送チャンネルを１つ特定するようにしてもよい。例えば、受信感度が低い機種でも、受信電波強度レベル又は画質レベルが良い値を示すような空き放送チャンネルを特定すれば、より広範な機種の携帯端末で放送データの受信がより確実になる。
【００８６】
本携帯端末は、複数の空き放送チャンネルについて、放送装置から放送されるテストデータを受信する放送受信部と、データ通信を行う通信部と、テストデータの受信電波強度レベルを取得し、当該受信電波強度レベルを含む受信状況データを放送装置へ通信部に送信させる制御部とを有する。
【００８７】
このようにすれば、放送装置側で適切な放送チャンネルを特定できるようになる。
【００８８】
また、上で述べた制御部が、各空き放送チャンネルにおけるテストデータの放送タイミングについてのスケジュールデータを取得し、当該スケジュールデータに従って放送受信部にテストデータの受信を行わせるようにしてもよい。このようにすれば、時分割で空き放送チャンネルの切り換える場合に、放送装置の空き放送チャンネルの切り換えに同期させて、受信電波強度レベル等を取得することができるようになる。
【００８９】
なお、テストデータが、映像データである場合もある。その場合、制御部が、映像データを録画して、録画された映像データをさらに含む受信状況データを放送装置へ通信部に送信させるようにしてもよい。画質劣化が激しい場合には、受信電波強度レベルが比較的高くても、その放送チャンネルを採用するのは問題があるためである。
【００９０】
なお、上で述べたような装置が行う処理をコンピュータに実施させるためのプログラムを作成することができ、当該プログラムは、例えばフレキシブル・ディスク、ＣＤ−ＲＯＭ、光磁気ディスク、半導体メモリ（例えばＲＯＭ）、ハードディスク等のコンピュータ読み取り可能な記憶媒体又は記憶装置に格納される。なお、処理途中のデータについては、ＲＡＭ等の記憶装置に一時保管される。
【００９１】
以上の実施例を含む実施形態に関し、さらに以下の付記を開示する。
【００９２】
（付記１）
テストデータを複数の空き放送チャンネルの各々で放送する放送部と、
各前記空き放送チャンネルで前記テストデータを受信した携帯端末から、前記テストデータの受信状況を表すデータを取得するデータ取得部と、
前記テストデータの受信状況を表すデータに基づき、放送データを放送すべき空き放送チャンネルを特定するチャンネル決定処理部と、
を有する放送装置。
【００９３】
（付記２）
前記データ取得部が、各前記空き放送チャンネルで前記テストデータを受信した複数の携帯端末から、前記テストデータの受信状況を表すデータを受信する
付記１記載の放送装置。
【００９４】
（付記３）
前記テストデータが映像データであり、
前記テストデータの受信状況を表すデータが、前記携帯端末による録画データを含み、
前記チャンネル決定処理部が、前記空き放送チャンネル毎に、前記携帯端末による録画データの画質レベルを算出し、当該画質レベルが閾値以上の空き放送チャンネルを特定する
付記１又は２記載の放送装置。
【００９５】
（付記４）
前記テストデータの受信状況を表すデータが、前記携帯端末による放送の受信電波強度レベルを含み、
前記チャンネル決定処理部が、前記受信電波強度レベルが閾値以上の空き放送チャンネルを特定する
付記１又は２記載のいずれか１つ記載の放送装置。
【００９６】
（付記５）
前記テストデータの受信状況を表すデータが、前記携帯端末による放送の受信電波強度レベルをさらに含み、
前記チャンネル決定処理部が、前記画質レベルが閾値以上であり且つ前記受信電波強度レベルが第２の閾値以上である空き放送チャンネルを特定する
付記３記載の放送装置。
【００９７】
（付記６）
前記テストデータが映像データであり、
前記テストデータの受信状況を表すデータが、前記携帯端末による録画データと前記携帯端末による放送の受信強度レベルとのうち少なくともいずれかと前記携帯端末の機種を特定するための機種データとを含み、
前記テストデータの受信状況を表すデータが前記携帯端末による録画データを含む場合には、前記チャンネル決定処理部が、前記空き放送チャンネル毎に、前記携帯端末の機種毎に録画データの画質レベルを算出し、全ての機種について前記画質レベルが閾値以上である空き放送チャンネルを特定し、
前記テストデータの受信状況を表すデータが前記受信電波強度レベルを含む場合には、前記チャンネル決定処理部が、全ての機種について前記受信電波強度レベルが第２の閾値以上の空き放送チャンネルを特定する
付記２記載の放送装置。
【００９８】
（付記７）
前記テストデータの受信状況を表すデータが、前記携帯端末の機種を特定するための機種データをさらに含み、
前記チャンネル決定処理部は、
前記空き放送チャンネルが候補として複数特定された場合に、機種毎に予め定められ且つ受信能力を表す重み値で各前記携帯端末についての前記テストデータの受信状況を表すデータを重み付けた上で評価し、空き放送チャンネルを１つ特定する
付記２記載の放送装置。
【００９９】
（付記８）
複数の空き放送チャンネルについて、放送装置から放送されるテストデータを受信する放送受信部と、
データ通信を行う通信部と、
前記テストデータの受信電波強度レベルを取得し、当該受信電波強度レベルを含む受信状況データを前記放送装置へ前記通信部に送信させる制御部と、
を有する携帯端末。
【０１００】
（付記９）
前記制御部が、
各前記空き放送チャンネルにおける前記テストデータの放送タイミングについてのスケジュールデータを取得し、当該スケジュールデータに従って前記放送受信部に前記テストデータの受信を行わせる
付記８記載の携帯端末。
【０１０１】
（付記１０）
前記テストデータが、映像データであり、
前記制御部が、前記映像データを録画して、録画された前記映像データをさらに含む受信状況データを前記放送装置へ前記通信部に送信させる
付記８又は９記載の携帯端末。
【０１０２】
（付記１１）
テストデータを複数の空き放送チャンネルの各々で放送させる放送制御部と、
各前記空き放送チャンネルで前記テストデータを受信した携帯端末から、前記テストデータの受信状況を表すデータを取得するデータ取得部と、
前記テストデータの受信状況を表すデータに基づき、放送データを放送すべき空き放送チャンネルを特定するチャンネル決定処理部と、
を、コンピュータに実現させるためのプログラム。
【符号の説明】
【０１０３】
１００  ローカル放送装置    
１１０  ディジタル放送部    １２０  制御部
１３０  処理データ格納部    １４０  コンテンツ格納部
１５０  受信状況データ格納部    １６０  通信インタフェース部
１７０  記録媒体インタフェース部
１２１  放送制御部    １２２  最適チャンネル決定処理部
１２３  通信制御部
２００  携帯端末
２０５  入力部    ２１０  ディジタル放送受信部
２２０  通信部    ２３０  受信制御部
２４０  データ格納部    ２５０  記録媒体インタフェース部
【図１】
2011188442.tif 000003
【図２】
2011188442.tif 000004
【図３】
2011188442.tif 000005
【図４】
2011188442.tif 000006
【図５】
2011188442.tif 000007
【図６】
2011188442.tif 000008
【図７】
2011188442.tif 000009
【図８】
2011188442.tif 000010
【図９】
2011188442.tif 000011
【図１０】
2011188442.tif 000012
【図１１】
2011188442.tif 000013
【図１２】
2011188442.tif 000014
【図１３】
2011188442.tif 000015
【図１４】
2011188442.tif 000016
【図１５】
2011188442.tif 000017
【図１６】
2011188442.tif 000018